(57)【要約】  【解決手段】 電気接点と、それに接続された前記電気接点を有するハウジングと、結合する電気コネクタに電気コネクタを結合するのを支援するための結合支援装置とを有する電気コネクタである。この結合支援装置は、前記結合する電気コネクタのカム部を受入れるためのスロットを有する前記ハウジングに移動可能に設置されたカム部材と、前記ハウジングに移動可能に設置された使用者作動可能な部材と係合する歯を備えたラック区域とを有する。【選択図】図８
2009503783.tif 000002
【特許請求の範囲】
【請求項１】
電気接点と、それに接続された前記電気接点を有するハウジングと、結合する電気コネクタに前記電気コネクタを結合するのを支援するための結合支援装置であって、この結合支援装置は、前記結合する電気コネクタのカム部を受入れるためのスロットを有する前記ハウジングに移動可能に設置されたカム部材と、前記ハウジングに移動可能に設置された使用者作動可能部材を係合する歯を備えたギヤ区域とからなるものとを有する電気コネクタ。
【請求項２】
前記カム部材は、前記ハウジングに軸支回転可能に接続される請求項１記載の電気コネクタ。
【請求項３】
前記スロットは、湾曲している請求項１記載の電気コネクタ。
【請求項４】
前記ハウジングは、前記カム部材のスロットと少なくとも部分的に整列されるカム部スロットを有する請求項１記載の電気コネクタ。
【請求項５】
前記カム部スロットは、ほぼ直線的であり、また、前記カム部材のスロットは、湾曲している請求項４記載の電気コネクタ。
【請求項６】
前記カム部材のギヤ区域は、湾曲路に沿って整列したその歯を有する請求項１記載の電気コネクタ。
【請求項７】
前記使用者作動可能部材は、前記カム部材の歯と移動可能に相互に噛み合った歯を有する請求項１記載の電気コネクタ。
【請求項８】
前記使用者作動可能部材は、前記ハウジングに縦方向に摺動可能に設置される請求項７記載の電気コネクタ。
【請求項９】
前記ハウジングおよび使用者作動可能な部材は、前記ハウジングにおける第１位置で使用者作動可能部材を保持するための第１ラッチ装置と、前記ハウジングにおける第２位置で使用者作動可能部材を保持するための第２ラッチ装置とを有する請求項１記載の電気コネクタ。
【請求項１０】
前記ハウジングは、前記結合する電気コネクタ内に突出し、かつ前記結合する電気コネクタの少なくとも１本の短絡棒を移動するように適応された前方に突出する部材を有する請求項１記載の電気コネクタ。
【請求項１１】
電気接点と、それに接続された前記電気接点を有するハウジングと、結合する電気コネクタに前記電気コネクタを結合するのを支援するための結合支援装置であって、この結合支援装置は、前記ハウジングに軸支回転可能に接続された少なくとも２つのレバーアームであって、この各レバーアームは、前記結合する電気コネクタの少なくとも１つのカム部を受入れるためのスロットを有し、さらにそのレバーアームは、少なくとも部分的に相互に交差しているものとを有する電気コネクタ。
【請求項１２】
前記スロットは、ほぼ直線的である請求項１１記載の電気コネクタ。
【請求項１３】
前記スロットは、湾曲している請求項１１記載の電気コネクタ。
【請求項１４】
前記スロットは、前記レバーアームの第１端に位置し、さらに、前記レバーアームの第２端は、第２スロットを有する請求項１１記載の電気コネクタ。
【請求項１５】
前記電気コネクタは、さらに、前記ハウジングに移動可能に設置された使用者作動可能部材を有し、その使用者作動可能部材は、前記レバーアームの第２スロット内に位置されたカム突起を有する請求項１４記載の電気コネクタ。
【請求項１６】
前記カム突起は、前記第２カムスロット内に縦方向に摺動するように適応される請求項１５記載の電気コネクタ。
【請求項１７】
前記ハウジングは、カムスロットを有し、さらに、前記レバーアームのスロットは、少なくとも部分的に前記カムスロットと整列する請求項１１記載の電気コネクタ。
【請求項１８】
前記ハウジングは、少なくとも２つの離間して配置されたカムスロットを有し、さらに、前記レバーアームのスロットは、少なくとも部分的に前記カムスロットのそれぞれの１つと整列する請求項１１記載の電気コネクタ。
【請求項１９】
少なくとも２つのレバーアームは、それぞれの一定間隔で配置された位置で前記ハウジングに軸支回転可能に接続される請求項１１記載の電気コネクタ。
【請求項２０】
結合する電気コネクタ内に突出し、かつその結合する電気コネクタの少なくとも１本の短絡棒を移動するように適合された前方突出部材を有するハウジングと、このハウジングに接続された複数の電気接点と、
前記ハウジングに摺動可能に設置されたスライドであって、このスライドは、歯を備えた第１ラック区域を有するものと、結合する電気コネクタのカム部を受入れるためのスロットを有するハウジングに軸支回転可能に設置されたカム部材であって、このカム部材は、前記第１ラック区域の歯と係合する歯を備えた第２ギア区域を有するものとを有する電気コネクタ。
【発明の詳細な説明】
【技術分野】
【０００１】
この発明は、電気コネクタに係り、より特別には、２つの電気コネクタを相互に結合するための装置に関する。
【背景技術】
【０００２】
米国特許６１２０３０８号は、回転可能に接続され、かつ分離することができる電気コネクタ組立体を開示している。
【発明の開示】
【課題を解決するための手段】
【０００３】
この発明の１つの態様にしたがって、電気コネクタは、電気接点と、それに接続されたその電気接点を有するハウジングと、この電気コネクタを結合する電気コネクタに結合するのを支援するための結合支援装置とを有して提供される。この結合支援装置は、この結合する電気コネクタのカム部を受入れるためのスロットを有するハウジングに移動可能に設置されたカム部材と、前記ハウジングに移動可能に設置された使用者作動可能部材に係合される歯を備えたラック区域とを有する。
【０００４】
この発明の別の態様にしたがって、電気コネクタは、電気接点と、それに接続されたこの電気接点を有するハウジングと、結合する電気コネクタにその電気コネクタを結合するのを支援するための結合支援装置とを有して提供される。この結合支援装置は、このハウジングに軸支回転可能に接続された少なくとも２つのレバーアームを有する。各レバーアームは、結合する電気コネクタの少なくとも１つのカム部を受入れるためのスロットを有する。このレバーアームは、少なくとも部分的に相互に交差している。
【０００５】
この発明の他の態様にしたがって、電気コネクタは、ハウジングと、このハウジングに接続された複数の電気接点と、このハウジングに接続され、電気接点に移動可能に接続された少なくとも１本の短絡棒と、前記ハウジングに摺動可能に設置されたスライドであって、そのスライドは、そこに歯を備えた第１ラック区域を有するものと、結合する電気コネクタのカム部を受入れるためのスロットを有するハウジングに軸支回転可能に設置されたカム部材とを有して提供される。このカム部材は、第１ラック区域の歯を係合する歯を備えた第２ラック区域を有する。
【０００６】
この発明の先行する態様および他の特徴は、添付の図面に関連して採られた以下の記述において説明される。
【発明を実施するための最良の形態】
【０００７】
図１を参照して、この発明の特徴を具体化する電気コネクタ組立体１０の分解斜視図が示されている。この発明は、図面に示される典型的な実施例に関して記述されるが、この発明が実施例の多くの代りの形態に具体化することができることが理解されるべきである。さらに、部品または材料のあらゆる適切な寸法、形状、またはタイプが使用できる。
【０００８】
組立体１０は、通常、第１電気コネクタ１２、第２電気コネクタ１４、およびこの電気コネクタ１２、１４に接続された、ワイヤのような電気導体１６を有する。この２つの電気コネクタ１２、１４は、移動可能に相互に結合するように適応されて、相互にそれぞれのワイヤ１６に電気的に接続される。第１電気コネクタ１２は、通常、ハウジング１８、電気接点２０、およびマットワイヤシール２７（図２Ａおよび２Ｂ参照）を有する。このマットワイヤシール２７は、コネクタ１２の後部に入るワイヤ１６のためのシールおよび歪み逃げを形成する。シール２７は、外側ハウジング部材２４の後端と内側ハウジング部材２２の後端との間に位置する。このシールは、ワイヤがシールを貫通することを可能にし、かつ、ワイヤと密閉接触する孔を有する。
【０００９】
さらに図２を参照して、ハウジング１８は、通常、内部ハウジング部材２２と、外側ハウジング部材２４と、結合された端子位置保証（ＴＰＡ）および主要ロック強化（ＰＬＲ）（ＴＰＡ／ＰＬＲ）部材２６とを有する。電気接点２０は、内部ハウジング部材２２内の接点受入れチャネル２８内に設置される。接点２０は、圧着されるか、またそうでなければ第１コネクタ１２のワイヤ１６に接続される。内部ハウジング部材２２は、外側ハウジング部材２４内に固定して設置される。ＴＰＡ／ＰＬＲ部材２６は、内部ハウジング部材２２の前端に移動可能に設置される。内部ハウジング２２は、受入れチャネル２８における電気接点２０をラッチするために受入れチャネル２８でロッキングラッチを有する。電気接点２０が、内側コネクタハウジング２２の受入れチャネル２８内に挿入された後に、ＴＰＡ／ＰＬＲ部材２６は、内部ハウジング２２において後方に押しつけられて、電気接点ロッキングラッチを強化する。しかしながら、他の実施例においては、任意の適切なタイプの内部ハウジングを提供することができ、さらに、任意の適切なタイプの端子位置保証および主要ロック強化を提供することができる。
【００１０】
さらに図３を参照して、第１コネクタ１２は、内部ハウジング部材２２に設置された電気短絡棒接点３０を有する。この短絡棒接点は、第２コネクタ１４が第１コネクタ１２と結合される前に、対の電気コネクタ２０を相互に電気的に接続する。しかしながら、第１コネクタ１２との第２コネクタ１４の結合中に、この第２コネクタ１４は、接点２０との接続から離れて短絡棒接点３０の接点アーム３１を移動するように適応される突出部４４を有する。代りの実施例においては、短絡棒は、備えないことができる。
【００１１】
図１において見られるように、第２電気コネクタは、通常、ハウジング３２、電気接点３４、およびスライド３６を有する。さらに図４を参照して、このハウジング３２は、通常、主ハウジング部材３８と、後端シールカバー４０と、前端結合された端子位置保証（ＴＰＡ）および主要ロック強化（ＰＬＲ）（ＴＰＡ／ＰＬＡ）部材４２とを有する。ＴＰＡ／ＰＬＲ部材４２は、例えばスナップロック接続によるように、主ハウジング部材３８の前端に設置される。このＴＰＡ／ＰＬＲ部材４２は、第２電気コネクタ１４が第１電気コネクタ１２に接続されるときに、短絡棒接点３０の接点アーム３１を、接点２０との接続から離れて移動するように適応される前方突出絶縁装置４４を有する。図２Ａおよび２Ｂに示されるシール２７に近似のマットワイヤシール（図示せず）は、主ハウジング部材３８の後端と後端シールカバー４０との間に位置される。周囲シール（示されない）も、第１コネクタ１２のハウジングとのシールを形成するために、第２コネクタ１４に設けられる。しかしながら、代りの実施例においては、あらゆる適切な構造が、第２コネクタ１４のハウジング部品用に提供されることができる。
【００１２】
さらに図５を参照して、主ハウジング部材３８は、接点受入領域４６を有する。電気接点３４は、この受入領域４６に設置される。この主ハウジング部材３８は、受入領域４６内に接点３４を掛け止めするためのラッチを有する。ＴＰＡ／ＰＬＲ部材４２は、主ハウジング部材３８におけるロック位置に移動されたときに、主ハウジング部材３８から接点３４の故意でない撤去を防止するためにラッチを強固にする。主ハウジング部材３８の頂部側は、第１偏倚可能なラッチ５０と、第２ラッチレセプタクル５２と、軸支ピン５４と、スロット５６とを有する。主ハウジング部材３８の底部側は、２つのスライドスロット５８を有する。
【００１３】
後端シールカバー４０は、例えばスナップロック接続によるように、主ハウジング部材３８の後端に設置される。この後端シールカバー４０は、ワイヤ歪み逃げチューブ４８を有する。第２コネクタ１４のワイヤ１６は、後端シールカバー４０のワイヤ歪み逃げチューブ４８を通って、および受入領域４６内に延びる。
【００１４】
さらに図６を参照して、スライド３６は、第１ラッチ６０と、第２ラッチ６２と、頂部の内部に面する側に位置された歯６４のラックとを備えた頂部を有する。このスライド３６の底部は、スライド脚６６を有する。この脚６６は、主ハウジング部材３８のスライドスロット５８内に受入れられ、かつそれに沿って摺動するように寸法採りされ、形づくられる。このスライド３６は、主ハウジング部材３８を超えて、かつ、ほぼ取り囲んで設置されるように、寸法採りされ、形づくられる。スライド３６は、後部位置と前方位置との間の主ハウジング部材に沿って摺動することができる。
【００１５】
このスライドが使用者によって前方位置に移動されるときに、第１ラッチ６０は、第１偏倚可能なラッチ５０でラッチするように適応されて、主ハウジング部材３８における前方位置でスライド３６を保持する。したがって、第１ラッチ６０と第１偏倚可能なラッチ５０とは、第１ラッチ装置を形成する。第２ラッチ６２は、第２ラッチレセプタクル５２と係合するように適応されて、使用者によって明確に移動されるまで、主ハウジング部材３８における退去された後部位置でスライド３６を保持する。したがって、第２ラッチ６２と第２ラッチレセプタクル５２とは、第２ラッチ装置を形成する。
【００１６】
さらに図７および８を参照して、第２コネクタ１４は、さらに結合されたピニオンギアとカム部材６８を有する。図８は、その後部定位置でのスライド３６を示している。図８は、さらにその対応する定位置での部材６８を示している。この部材６８は、軸支穴７０と、ピンスロット７２と、歯７６を備えたギヤ区域７４とを有する。この部材６８は、軸支穴７０内に配置された軸支ピン５４を備えた主ハウジング部材３８に回転可能に設置される。この歯７６は、スライド３６におけるラック区域の歯６４と相互に噛み合うように適応される。ピンスロット７２は、この実施例においては、通常の湾曲した形状を有している。このピンスロット７２は、部材６８が、主ハウジング部材３８における定位置にあるときに、スロット５６と整列する入口７８を有している。スロット５６は、この実施例において、通常の直線的形状を有する。
【００１７】
このスロット５６とピンスロット７２とは、第１および第２コネクタが相互に当接されているときに、第１コネクタ１２の設置ピン２５（図１および２参照）を受入れるように適応される。この設置ピン２５は、スロット５６に沿って摺動するように寸法採りされ、形づくられる。この部材６８は、回転して、カムおよび結合支援として機能して、スロット５６の長さに沿ってピン２５を移動するのを支援するように適応される。より特別には、またさらに図９−１２を参照して、使用者は、相互に２つのコネクタ１２、１４の接続の間に、スライド３６を掴むことができる。第１コネクタ１２のハウジングが第２コネクタ１４内に挿入されるときに、ハウジング２４が第２ラッチ６２を移動するので、第２ラッチ６２および第２ラッチレセプタクル５２によるラッチは、打勝つ。その後、このスライド３６は、主ハウジング部材３８の上を前方に摺動し始めることができる。したがって、このスライド３６は、スライドラッチ６２が自由に撓められ、対向するコネクタ１２の外側ハウジング２４の先行端によってラッチ窓５２から解放されたときに、自由に移動する。
【００１８】
スライド３６が、主ハウジング部材３８において前方に移動されるとともに、これはスライド３６における歯６４のラックが、図１１に見られるように歯７６、６４の相互に噛み合う性質のために、部材６８を回転させる。この部材６８が回転しながら、それが、スロット５６の長さ内により深く移動するように、ピン２５をカム駆動（cam）する。ピンスロット７２は、図１２に見られるように相互にそれらの最終接続位置内に２つのコネクタ１２、１４を移動するのを支援するように、ピン２５に対してカム駆動する。第１ラッチ６０は、主ハウジング部材３８におけるその前方位置でスライド３６を維持するように第１偏倚可能なラッチ５０と係合し、かつ、したがって、図１２に示される第１および第２コネクタ１２、１４をそれらの最終接続位置で維持する。
【００１９】
２つのコネクタ１２、１４を分離するために、ラッチ装置５０、６０は、使用者によって解放され、また、スライド３６は、その後方の位置に移動される。そのスライド３６が、スロット５６から少なくとも部分的に、ピン２５を放出するために移動される間に、相互に噛み合う歯６４、７６は、部材６８を回転させる。したがって、この発明は、また、２つのコネクタ１２、１４を分離するのを支援するために用いることができる。
【００２０】
今度は、図１３−２２を参照して、この発明の他の実施例が示されている。この実施例において、電気コネクタ８０は、ハウジング８２と、結合支援スリーブまたはスライド８４と、２つの結合支援レバーアーム８６とを有する。ハウジング８２は、２つのピン受入スロット８８と２つの軸支ポスト９０とを備えた頂部側を有する。この２つのレバーアーム８６は、孔９２において軸支ポスト９０に軸支回転可能に設置される。図１３に見られるように、このレバーアーム８６は、相互に交差している。スライド８４は、ハウジング８２を覆って設置される。スライド８４は、内部に延びるポスト９４を有する。このポストは、レバーアーム８６のスロット９６内に位置する。このレバーアーム８６は、さらに開放端のスロット９８を有する。この開放端のスロット９８は、図１３に見られるように結合するコネクタのピン１００を受入れて取込むために、スロット８８と整列される。このスライド８４がハウジング８２に関して移動されるときに、スライド８４は、ハウジングにおいてハサミ動作に近似してレバーアーム８６を移動する。このことは、スライドが後方位置にあるときに、ピン１００を受入れるためにレバーアーム８６を位置決めし、かつ、スライドがハウジングにおいて前方に移動されるように、ハウジング８２のスロット８８内にピン１００をカム駆動する。このタイプの実施例は、より長い幅を有する、およびまたは、より小さな寸法のコネクタに対するバランスのとれたマルチポイント適用装置を使用するのを支援するコネクタには特に有利である。
【００２１】
今度は、図２３−２４を参照して、他の実施例が示されている。この実施例において、コネクタ１０２は、ハウジング１０４と、スライド１０６と、２つのレバーアーム１０８とを有する。ハウジング１０４は、結合するコネクタピン受入スロット１１０と、２つの軸支ポスト１１２とを有する。このレバーアーム１０８は、それぞれ、軸支孔１１４と、２つの開放端のスロット１１６、１１８とを有する。このレバーアーム１０８は、孔１１４における軸支ポスト１１２において軸支回転可能に設置され、かつ、少なくとも部分的に相互に交差している。スライド１０６は、２つの内部に面するポスト１２０を有する。ポスト１２０は、スロット１１８内に位置される。スロット１１６は、スロット１１０と整列される。結合する電気コネクタ（図示せず）用の設置ピンは、レバーアーム１０８を移動するスライド１０６を備えたスロット１１０内に受入れられて、スロット１１０内に結合する電気コネクタの設置ピンをカム駆動することができる。
【００２２】
図２５は、軸支孔１２２、ポスト１２４、およびカムスロット１２６を備えたレバーアーム１２１の他の形状を示している。しかしながら、いかなる適切な形状も提供することができる。
【００２３】
代りの実施例において、雄ハウジングにおけるハウジング／ＴＰＡ／シールカバー設計戦略は、図示されている外側ハウジング／内部ハウジング／ＴＰＡ戦略に対立するものとして用いることができる。他の実施例において、短絡棒のないコネクタを提供することができる。
【００２４】
さらに、図２６−２９を参照して、電気コネクタ組立体の代りの実施例が示されている。この実施例において、第１電気コネクタ１３０のハウジングがその底部側から延びるキーイング構成１３２を有する点を除いて、第１電気コネクタ１３０は、第１電気コネクタ１２と同一である。第２電気コネクタ１３４は、下記を除いて第２電気コネクタ１４と同一である。
【００２５】
１．スロット５６に対する入口におけるガイド１３６、ハウジング３２’の頂部側におけるガイド突出部１３８、スライド３６’は、領域１４０におけるその底部側に近接し、スライド３６’は、その底部側の長方形のガイドスロット１４２に近接し、さらにハウジング３２’は、頂部側内に延びるＬ形状のスロット１４６を備えたその底部側におけるほぼ長方形の突出部１４４を有する。スロット１４６は、第１コネクタ１３０のキーイング構成１３２を受入れるための受入れ領域を形成する。しかしながら、代りの実施例においては、いかなる適切なキーイング構成も提供することができる。
【００２６】
先行する記述は、発明の単に例証であることは理解されるべきである。発明から逸脱することのない技術に熟練している者は、様々な代案および改造を考案することができる。したがって、この発明は、付属されたれた請求項の範囲内にある代案、改造および変化をすべて包含するように意図されている。
【図面の簡単な説明】
【００２７】
【図１】電気コネクタ組立体を形成するために使用される２つの電気コネクタの分解斜視図
【図２】図１に示される電気コネクタの第１のもののいくつかの部品の分解斜視図
【図２Ａ】図２に示される電気コネクタにおいて使用されるマットワイヤシールの斜視図
【図２Ｂ】図２Ａに示されるマットワイヤシールの正面図
【図３】図２に示されるコネクタにおいて使用される短絡棒の斜視図
【図４】図１に示される第２電気コネクタのいくつかの部品の分解斜視図
【図５】図４に示されるコネクタの主ハウジング部材の斜視図
【図６】図４に示されるコネクタのスライドの斜視図
【図７】図４に示される結合したピニオンギアおよびカム部材の斜視図
【図８】後方位置におけるスライドを備えた図４に示されるコネクタの斜視図
【図９】ほぼ相互に接続されるように図１に示される２つのコネクタの平面図
【図１０】相互に当初に接続された２つのコネクタを備えた図９におけるような平面図
【図１１】さらに相互に接続された２つのコネクタを備えた図１０におけるような平面図
【図１２】最終結合位置で相互に接続された２つのコネクタを備えた図１１におけるような平面図
【図１３】この発明の他の実施例の一部断面を有する平面図
【図１４】図１３に示されるコネクタのハウジングの平面図
【図１５】図１３に示されるコネクタのハウジングの正面図
【図１６】図１３に示されるコネクタのハウジングの側面図
【図１７】図１３に示されるコネクタのレバーアームのうちの１つの平面図
【図１８】図１７に示されるレバーアームの側面図
【図１９】図１３に示されるコネクタのスライドの平面図
【図２０】図１９に示されるスライドの正面図
【図２１】図１９に示されるスライドの側面図
【図２２】図１３に示されるコネクタの正面図
【図２３】この発明の特徴を有するコネクタの他の実施例の平面図
【図２４】図２３に示されるコネクタのハウジングの平面図
【図２５】レバーアームの他の実施例の平面図
【図２６】第１電気コネクタの他の実施例の斜視図
【図２７】図２６に示される第１電気コネクタの他の斜視図
【図２８】図２６−２７に示される第１電気コネクタともに使用するための第２電気コネクタの他の実施例の斜視図
【図２９】図２８に示される第２電気コネクタの他の斜視図。
【図１】
2009503783.tif 000003
【図２】
2009503783.tif 000004
【図２Ａ】
2009503783.tif 000005
【図２Ｂ】
2009503783.tif 000006
【図３】
2009503783.tif 000007
【図４】
2009503783.tif 000008
【図５】
2009503783.tif 000009
【図６】
2009503783.tif 000010
【図７】
2009503783.tif 000011
【図８】
2009503783.tif 000012
【図９】
2009503783.tif 000013
【図１０】
2009503783.tif 000014
【図１１】
2009503783.tif 000015
【図１２】
2009503783.tif 000016
【図１３】
2009503783.tif 000017
【図１４】
2009503783.tif 000018
【図１５】
2009503783.tif 000019
【図１６】
2009503783.tif 000020
【図１７】
2009503783.tif 000021
【図１８】
2009503783.tif 000022
【図１９】
2009503783.tif 000023
【図２０】
2009503783.tif 000024
【図２１】
2009503783.tif 000025
【図２２】
2009503783.tif 000026
【図２３】
2009503783.tif 000027
【図２４】
2009503783.tif 000028
【図２５】
2009503783.tif 000029
【図２６】
2009503783.tif 000030
【図２７】
2009503783.tif 000031
【図２８】
2009503783.tif 000032
【図２９】
2009503783.tif 000033
【国際調査報告】
2009503783.tif 000034